(57)【要約】【課題】外反拇指の発症を防ぎ、或いは矯正する靴の提供。【解決手段】靴底１、中底２、クッション材３、中敷き４、甲皮５を主として構成される靴において、厚さを５ミリ前後とした中底２の拇指と拇指球が対応する部分に拇指と拇指球を投影した形状６を穿設。この部分に中底２と同じ厚さで中底２よりも低い硬さと柔軟性のあるクッション材３を嵌め込む。その上にクッション材３と同程度の硬さで柔軟性を有する厚さが３ミリ前後の中敷き４を敷く。【選択図】図１
2020025832.tif 000002
【特許請求の範囲】
【請求項１】
靴底と中底、クッション材、中敷き、甲皮などから主として構成される靴で、中底には拇指と拇指球に対応する部分に拇指と拇指球を投影した形状の凹陥部を穿設し、凹陥部には凹陥部と同一形状で、中底本体より低い硬度で柔軟性のあるクッション材を嵌め込んだ構造にしてあることを特徴とする靴。
【請求項２】
請求項１の構造を有するスリッパ、サンダル等の履物類。
【発明の詳細な説明】
【技術分野】
【０００１】  拇指および拇指球にあたる靴底に凹陥部を穿設して外反拇趾を予防或は外反拇趾を矯正する矯正履物に関する。本発明による靴は外反拇趾になりにくい。また、既に外反拇趾を発症した人の痛みを軽減しながら外反拇趾の矯正治癒が期待できる。同様の目的で後入れ方式の中敷きは、靴の内容積が小さいハイヒール、パンプス等には窮屈になり使用できない。加えて、夏用の指先が露出している靴類には後入れ中敷きが固定できず、また露出するので使用出来ない。加えて穿設した凹陥部は穴が開けてあるだけなので拇指および拇指球の位置が安定せずに履き心地が悪い。
従って本発明を靴の構造に一体化すれば、ハイヒール、パンプス等の薄いつま先のデザイン性を守りながら最低限の靴底の厚さで製造出来る。本発明は普段履きの靴はもちろんのこと、ヒールが高く外反拇趾になりやすいダンスシューズや各種のスポーツシューズ、サンダル、スリッパにも応用できる。
【背景技術】
【０００２】  紳士靴から婦人靴まで、歩行姿勢を美しくするために踵を高くして、つま先を下げる構造が一般的である。しかし、これが災いして足が前すべりになり、体重の負荷がかかる拇指は慢性の突き指状態になり、逃げ場を失った突き指状態の圧力が拇指の第一中足趾節関節の外反脱臼状態を発症して外反拇趾となる。外反が進むと醜く、加えて辛い痛みを伴う。この痛みを和らげ、外反拇趾を矯正するために拇指および拇指球にあたる部位に凹陥部を穿設した後入れ方式の中敷きが考案されているが、穿設した凹陥部は穴が開いているだけなので拇指、及び拇指球の位置が安定せずに履き心地が悪い。同様の目的で後入れ方式の中敷きは、靴の内容積が小さいハイヒール、パンプス等には窮屈になり使用できない。加えて、夏用の指先が露出している靴類には後入れ中敷きが固定できず、また露出するので使用出来ない。【０００３】  一般的に外反拇趾は特にハイヒールを履く女性や立ち仕事に従事する人に多発、ダンスシューズ、スポーツシューズの使用も影響して外反拇趾に悩む人たちの数は計り知れないほど多い。【０００４】  現在まで、外反拇趾を予防する方法は確立されていない。外反拇趾になるとひどい痛みで歩行が困難になり、この痛みを軽減すると謳い、患部の指間に装着する器具や靴の中敷きなどが何種類も市販されている。しかし、それらを用い、靴を履くと非常に窮屈で苦痛を伴う場合があり、サンダル状で指や踵を露出する夏用の靴には見苦しく、また甲皮が無いために中敷きを敷くことが不可能であった。【０００５】  現在、外反拇趾を元の正常な形に近づける方法は非常な苦痛を伴う手術のみである。
【先行技術文献】
【特許文献】
【０００６】
【特許文献１】特開２０１７−２３７０６
【発明の概要】
【発明が解決しようとする課題】
【０００７】  発明が解決しようとする課題は、靴を履く人が外反拇趾になることを防ぐことである。【０００８】  発明が解決しようとする別の課題は、既に外反拇趾を発症している人が本発明を構造とする履物を履きながら痛みを軽減して外反を内反方向に戻して正常化することにある。
【課題を解決するための手段】
【０００９】  図１の分解斜視図の厚さが５ミリ前後の中底２には拇指と拇指球に対応する部分に拇指と拇指球を投影した形状の凹陥部６を穿設する。凹陥部６には凹陥部６と同一形状で、厚さを中底と同じくして、中底本体よりもより低い硬度で柔軟なクッション材３を嵌め込んだ構造とする。中敷き４はクッション材３と同程度の硬度と柔軟性をもち、厚さ３ミリ前後の素材を使用する。【００１０】  本発明を履くことにより、拇指と拇指球が凹陥部６に沈み込むと必然的に第２指から第５指の中足骨と指の部分で体重を支えることになる。これにより、拇指の突き指状態にある先端部への体重負荷が無負荷になるか若しくは低減されて外反拇趾を防ぐ。既に外反拇趾が発症している場合には拇指の第一中足趾節関節が第２指側に内反されて矯正されるとともに痛みも軽減される。【００１１】  従来の技術で作られた靴を履いての立ち仕事、クラシックバレーやダンス、スポーツの影響で外反拇趾が発症したり、その予兆がある場合は本発明の構造とした室内履きのスリッパ、サンダル等で矯正することが可能である。【００１２】  また、本発明の凹陥部は５ミリ前後と浅いので、デザインを重視したハイヒール等の薄いつま先の靴底にも対応出来る。
【発明の効果】
【００１３】  靴の内部を請求項１の構造とすることで、拇指の付け根である第一中足趾節関節の外反脱臼を防止、または矯正出来る。【００１４】  本発明の構造をもたない靴を使用して、仕事やダンス、クラシックバレー、スポーツなどで外反拇趾になり、またはその予兆が感じられても、本発明の構造をもった請求項２の履物等を日常生活の内履き、外履きなどに取り入れて使用すれば、健康な状態に矯正することが出来る。
【図面の簡単な説明】
【００１５】
【図１】本発明の靴の実施例分解斜視図である。
【図２】本発明の中底２に足を乗せ、拇指の第一関節の下部に当たる部分から正面手前の靴底１と中底２を切断した断面図である。
【発明を実施するための形態】
【００１６】
【実施例】
【００１７】  以下、添付図面を参照して本発明の実施例を説明する。
図１は本発明の実施例の分解斜視図である。図２は中底２に足を乗せて正面から見た本発明の実施例の断面図である。【００１８】  図１に示すように、本発明は靴底１と中底２、クッション材３と中敷き４、甲皮５から主として構成される。【００１９】  図１の分解斜視図の厚さが５ミリ前後の中底２には拇指と拇指球に対応する部分に拇指と拇指球を投影した形状の凹陥部６を穿設する。凹陥部６には凹陥部６と同一形状で、厚さを中底と同じくして、中底本体よりもより低い硬度で柔軟なクッション材３を嵌め込んだ構造とする。中敷き４はクッション材３と同程度の硬度と柔軟性をもち、厚さ３ミリ前後の素材を使用する。【００２０】  本発明を履くことにより、拇指と拇指球が凹陥部６に沈み込むと必然的に第２指から第５指の中足骨と指の部分で体重を支えることになる。これにより、拇指の突き指状態にある先端部への体重負荷が無負荷になるか若しくは低減されて外反拇趾を防ぐ。既に外反拇趾が発症している場合には拇指の第一中足趾節関節が第２指側に内反されて矯正されるとともに痛みも軽減される。【００２１】  従来の技術で作られた靴を履いての立ち仕事、クラシックバレーやダンス、スポーツの影響で外反拇趾が発症、またはその予兆がある場合は本発明の構造をした室内履きのスリッパ、サンダル等で矯正することが可能。【００２２】  また、本発明の凹陥部は５ミリ前後と浅いので、デザインを重視したハイヒール等の薄いつま先の靴底にも対応出来る。
【産業上の利用可能性】
【００２３】  本発明は普段履きの靴はもちろんのこと、ヒールが高く外反拇趾になりやすいダンスシューズや各種のスポーツシューズ、サンダル、スリッパにも応用できる。
【符号の説明】
【００２４】１  靴底
２  中底
３  クッション材
４  中敷き
５  甲皮
６  クッション材嵌め込み孔
【図１】
2020025832.tif 000003
【図２】
2020025832.tif 000004